(57)【要約】【課題】画像印刷において印刷結果のプレビュー・画像解像度（ｄｐｉ）を画面でリアルタイムに確認し、失敗のない印刷をおこなう。あわせて給紙方向に束縛されない、複数の印刷結果を一括して取得できる処理手段を提供することである。【解決手段】印刷用紙の印刷可能領域と連動するトリミング枠１を表示し、その移動・サイズ調整によって印刷領域を決定する。このときトリミング枠１を基礎にしたプレビュー画像や画像解像度及び解像度の不足を適宜表示し印刷結果が意図したものとなるかを正確かつ容易に把握する。またソフトウェア的に印刷可能領域の縦横比率を入れ替えることで印刷機器の給紙を変更することなく印刷方向を変更する。さらにトリミング枠１のデータをリスト形式で作成することにより、用途に応じた印刷結果を一括して必要な枚数得ることができる。【選択図】　　図１
2004021973.tif 000002
【特許請求の範囲】
【請求項１】
印刷機器の用紙設定から用紙の余白を除いた印刷可能領域の数値を取得し、その縦横比率に連動するトリミング枠を表示画像に重ね合わせ表示することで厳密な画像印刷結果をプレビューする画像処理装置
【請求項２】
請求項１において印刷機器の給紙方向を変更することなくトリミング枠の設定を自由におこなうために、給紙方向と異なる向きで印刷したい画像において印刷可能領域の縦横比率の分子分母を入れ替え、印刷時に９０度回転する処理手段
【請求項３】
請求項１においてトリミング枠のサイズ及び表示画像の表示倍率と用紙の印刷可能領域から画像解像度（ｄｐｉ）を算出・表示し、またその不足を適宜警告する処理手段
【請求項４】
請求項１において複数画像のトリミング枠のデータをリスト形式で保存し再利用可能にする処理手段
【発明の詳細な説明】
【０００１】
【発明の属する技術分野】本発明は、最適な画像印刷をおこなうための印刷可能領域に対応するトリミング枠および画像解像度の表示および各データのリスト保存に関するものである。
【０００２】
【従来の技術】従来は画像の所望の部位を印刷するのに、任意の選択枠を設け、切り抜き等の処理をおこなったあと選択枠内の画像を印刷している。
【０００３】この選択枠は画面で表示画像を移動・サイズや９０度回転等角度変更した際、相対的に追従し常に同一の表示内容を確保する。
【０００４】印刷は印刷機器の性能を画像処理装置に知らせる用紙設定を介し、これには用紙サイズ・余白等の数値が格納されている。
【０００５】印刷は画像の左上もしくは中央を起点に画像解像度（ｄｐｉ）に応じて計算された印刷可能範囲内の画像を印刷するか、画像の四隅を用紙の印刷可能領域の四隅にフィット印刷する方法が用いられている。
【０００６】同じ画像から別の印刷結果が必要となった場合は作成した画像を新規保存する等の作業をおこなったあとオリジナル画像から位置・サイズ・角度を変更した選択粋を再作成・印刷する。
【０００７】
【発明が解決しようとする課題】選択枠が自由に設定可能であることと、印刷の起点が左上もしくは中央の場合画像解像度すなわち単位面積あたりの画素密度が自由に設定できることから印刷可能範囲が不明瞭であり、最終的な印刷結果の位置・サイズを明確に把握することは困難である。
【０００８】画像の四隅と用紙の印刷可能領域の四隅を適合させるフィット印刷では縦横の比率が合わないことにより印刷結果が歪む可能性が多分にある。
【０００９】また不適切な用紙サイズを選択したり極端な拡大印刷をおこなった場合画像解像度（ｄｐｉ）が足りず、思わぬ印刷結果となる失敗が簡単に発生する。
【００１０】給紙方向（縦／横）が異なる場合には同サイズであっても用紙の向きを変える必要があり、これらを複数画像で試行錯誤するためにたいへんな労力となっている。
【００１１】本発明の第１の目的は用紙設定に応じた印刷結果や画像解像度（ｄｐｉ）を画面でリアルタイムに確認し、最終的に失敗のない印刷をおこなうことにある。
【００１２】本発明の第２の目的は画像の新規保存や給紙等の作業を最小限にとどめ、使用者及びシステムの負担を軽減することにある。
【００１３】
【課題を解決するための手段】通常画像を印刷する場合、用紙のサイズおよび給紙方向を決める用紙設定をおこなう。用紙設定には印刷機器の性能に応じた用紙のサイズ・余白等が数値で格納されるので用紙サイズから余白を取り除いた実際の印刷可能領域の縦横比率に連動した選択枠をトリミング枠として表示画像に重ね合わせ表示することができる。
【００１４】本発明ではこのトリミング枠をマウスドラッグ等により拡大縮小する際、そのサイズ（横ｔＷピクセル、縦ｔＨピクセル）を印刷可能領域（横ｐＷピクセル、縦ｐＨピクセル）の縦横比率（ｐＷ÷ｐＨ）と連動させる
【数１】。
【数１】ｔＷ＝ｔＨ×（ｐＷ÷ｐＨ）
【００１５】ただしソフトウェア的に用紙の向きを変えたい場合はトリミング枠の縦横比率の分子分母を入れ替えて適用する
【数２】。
【数２】ｔＷ＝ｔＨ×（ｐＨ÷ｐＷ）
【００１６】これは印刷機器の給紙方向を変更することなくトリミング枠の設定を自由におこなうためであり、印刷時にトリミング枠内の画像を９０度回転することによって解決する。
【００１７】トリミング枠は表示画像上にそのまま、もしくは画像処理装置の性能が許容すればトリミング枠によって限定されるマスク処理された画像によってリアルタイムに画面に表示する。これは直接に最終印刷結果をプレビューするものである。
【００１８】利用者が画面で表示画像のサイズや角度を変えても、選択枠が追随する従来の技術によりトリミング枠の位置・サイズ・角度は相対的に追従するので常に安定した印刷結果をプレビューすることができる。
【００１９】用紙設定に格納されている余白を除いた印刷可能領域の縦の長さ（ｐＨポイント）、表示画像の表示倍率（Ｎ％）、トリミング枠の縦の長さ（ｔＨピクセル）からトリミング枠のサイズ決定時もしくはマウスドラッグ等によるサイズ調整に追従してリアルタイムに、印刷結果の正確な画像解像度（Ｍｄｐｉ）
【数３】を表示する。
【数３】Ｍ＝ｔＨ÷（Ｎ×０．０１）÷（ｐＨ÷７２）
【００２０】また任意の出力解像度（ｄｐｉ）をあらかじめ目安下限値として設定しておき、これより画像解像度が低い数値である場合は画像解像度不足の警告を表示する。
【００２１】画像解像度表示及び解像度不足の警告により極端なサイズ変更に伴う画像解像度の不足を未然に防ぐことができ、良好な印刷結果を得ることができる。
【００２２】表示画像の表示倍率（Ｎ％）、トリミング枠の位置（ｔＸ、ｔＹ）・サイズ（ｔＷ、ｔＨ）からオリジナル画像の対応印刷領域の位置（ｏＸ、ｏＹ）・サイズ（ｏＷ、ｏＨ）が計算できる
【数４】。
【数４】ｏＸ＝ｔＸ÷（Ｎ×０．０１）
ｏＹ＝ｔＹ÷（Ｎ×０．０１）
ｏＷ＝ｔＷ÷（Ｎ×０．０１）
ｏＨ＝ｔＨ÷（Ｎ×０．０１）
【００２３】オリジナル画像の対応印刷領域の四隅を従来の技術により用紙の印刷可能領域の四隅にフィット印刷することで所望の部位の画像を用紙の印刷可能領域いっぱいに適正な比率で印刷することが出来る。
【００２４】トリミング枠の縦横比率の分子分母を入れ替えている場合には印刷データ生成前に対応印刷領域を従来の技術により９０度回転する内部処理をおこなう。これにより印刷機器に設置してある用紙の縦横比率がトリミング枠の縦横比率と異なっていても意図した印刷結果を得ることが出来る。
【００２５】トリミング枠の位置・サイズ・縦横比率入れ替えの有無は画像とは別のファイルにリスト形式で保存する。
【００２６】単一の画像でも複数の異なるトリミング枠のデータを設定することで、用途に応じた部位を印刷することが可能である。
【００２７】また印刷する枚数を個々に設定することで、用途に応じた枚数を印刷することが可能である。
【００２８】リストは用紙サイズごとにまとめておくことで、用紙方向を気にすることなく一括印刷が可能である。
【００２９】
【発明の実施の形態】使用者ははじめに用紙サイズを決定し、用紙設定をおこなう。
【００３０】これにより画像上には用紙設定から取得した印刷領域と縦横比率が一致したトリミング枠が表示される。
【００３１】トリミング枠の移動・拡大縮小・画像解像度のチェック、必要に応じて縦横比率の入れ替えをおこない所望の印刷領域を決定する。
【００３２】同一の用紙サイズで複数の画像を印刷する場合にはつづけて他の画像のトリミング枠設定をおこない、印刷枚数をトリミング枠設定毎に記入した印刷リストを作成する。
【００３３】すべての画像のトリミング枠設定が完了したら印刷をおこなう。一度印刷命令を出すだけで、用紙方向を気にすることなく最適な印刷結果を得ることができる。
【００３４】
【発明の効果】
【００３５】用紙設定に応じた印刷結果や画像解像度を画面でリアルタイムに確認できることで、失敗することなく最良の印刷結果を得ることが出来る。
【００３６】トリミング枠を印刷リストに保存することにより、再度同様の印刷が必要となる場合にも意図した印刷結果を得ることができる。またオリジナル画像と別の画像を新規保存する必要がなくなり記録媒体容量の節約、システムの簡明化が期待できる。
【図面の簡単な説明】
【図１】用紙設定から印刷へいたる処理手順のフローチャートである。
【図２】画像解像度不足の警告の一例である。
【符号の説明】
１トリミング枠
２表示画像
【図１】
2004021973.tif 000003
【図２】
2004021973.tif 000004